(57)【要約】  【課題】従来の歯ブラシ用毛材に比べて歯と歯の間や歯の表面の歯垢清掃性に優れ、歯茎への触感性にも優れた歯ブラシ用毛材および歯ブラシの提供。  【解決手段】合成樹脂異形断面モノフィラメントのカットブリッスルからなる歯ブラシ用毛材１であって、前記異形断面は複数の凸部６と凹部７とからなり、前記カットブリッスルの本体部側面にその長さ方向に沿って前記凹部７からなる螺旋状の溝２を有するとともに、前記カットブリッスルの少なくとも一端側に前記凸部６からなる複数の分岐毛３を有し、かつこれら各分岐毛３の先端がテーパー状に形成されている歯ブラシ用毛材。【選択図】図１
2007244546.tif 000002
【特許請求の範囲】
【請求項１】
合成樹脂異形断面モノフィラメントのカットブリッスルからなる歯ブラシ用毛材であって、前記異形断面は複数の凸部と凹部とからなり、前記カットブリッスルの本体部側面にその長さ方向に沿って前記凹部からなる螺旋状の溝を有するとともに、前記カットブリッスルの少なくとも一端側に前記凸部からなる複数の分岐毛を有し、かつこれら各分岐毛の先端がテーパー状に形成されていることを特徴とする歯ブラシ用毛材。
【請求項２】
前記異形断面が多葉形であることを特徴とする請求項１に記載の歯ブラシ用毛材。
【請求項３】
前記異形断面が３〜６つの凸部を有する多葉形であることを特徴とする請求項１または２に記載の歯ブラシ用毛材。
【請求項４】
前記螺旋状の溝の螺旋回数が０．５〜４．０回転／ｃｍであることを特徴とする請求項１〜３のいずれか１項に記載の歯ブラシ用毛材。
【請求項５】
前記合成樹脂異形断面モノフィラメントがポリエステル系樹脂からなることを特徴とする請求項１〜４のいずれか１項に記載の歯ブラシ用毛材。 
【請求項６】
請求項１〜５のいずれか１項に記載の歯ブラシ用毛材を毛材の少なくとも１部に使用したことを特徴とする歯ブラシ。
【発明の詳細な説明】
【技術分野】
【０００１】
本発明は、従来の歯ブラシ用毛材に比べて歯と歯の間や歯の表面の歯垢清掃性に優れ、歯茎への触感性にも優れた歯ブラシ用毛材およびこの歯ブラシ用毛材を使用した歯ブラシに関するものである。
【背景技術】
【０００２】
従来から、歯ブラシ用毛材には、安価で容易に加工できることから合成樹脂モノフィラメントが使用されている。  
【０００３】
特に近年では、歯ブラシに様々な機能が要求されてきており、これに伴って歯ブラシ用毛材にも様々な形態のものが提案されている。
【０００４】
例えば、図４（ａ）に示したように、先端にテーパー部１１を形成した歯ブラシ用毛材（例えば、特許文献１参照）は、その毛先が歯間に入りやすいために狭い部分の歯垢を落としやすく、また触感性も良好であるために歯茎のマッサージ効果が得られるなど、従来の歯ブラシ用毛材にはない特異的な効果を発揮するものであった。しかしながら、この歯ブラシ用毛材を歯ブラシとして使用して歯垢の清掃を行う場合には、図４（ｂ）に示したように、毛材１の摺動方向Ｗに沿って、毛材１の側面が歯の表面９に付着した歯垢１０に対し線接触するだけであるため、歯の表面の汚れを落とす性能が弱いという問題があった。
【０００５】
また、図５（ａ）に示したように、先端に複数の先鋭なテーパー状の分岐毛３を形成した歯ブラシ用毛材（例えば、特許文献２参照）も既に提案されており、この歯ブラシ用毛材は上述した従来の歯ブラシ用毛材よりもさらに高い歯間清掃性と触感性が発揮されるという特徴を有するものであった。しかしながら、この歯ブラシ用毛材もまた、歯ブラシとして使用して歯垢の清掃を行う場合に、図５（ｂ）に示したように、毛材１の摺動方向Ｗに沿って、毛材１の側面に形成した複数の溝２が歯の表面９に付着した歯垢１０に対し線接触するだけであることから、図４に示した歯ブラシ用毛材に比べればややましとはいうものの、歯の表面の汚れを落とす性能が依然として弱いという問題があった。
【０００６】
これに対して、毛先にテーパー部とこのテーパー部の外周に捩り形成された螺旋状の溝とを有することにより異物を効果的に除去できるようにした歯ブラシ用毛材（例えば、特許文献３参照）が既に提案されている。しかし、この歯ブラシ用毛材もまた、期待するほどの清掃効果が得られないばかりか、その加工方法が極めて難しく、製造コストが高くなるなど製造面でも多くの問題を抱えていた。
【０００７】
このように、従来の歯ブラシ用毛材は、それぞれ特異的な特徴を有するものの、歯ブラシ用毛材に要求されるあらゆる特性を全て満足するものではなかったため、その更なる改善が頻りに求められていた。
【特許文献１】特許第３１４５２１３号公報
【特許文献２】特開２００３−１４４２２９号公報
【特許文献３】特開２００３−１８９９４３号公報
【発明の開示】
【発明が解決しようとする課題】
【０００８】
本発明は、上記従来技術における問題点の解決を課題として検討した結果達成されたものある。すなわち、本発明は、従来の歯ブラシ用毛材に比べて歯と歯の間や歯の表面の歯垢清掃性に優れ、歯茎への触感性にも優れた歯ブラシ用毛材およびこの歯ブラシ用毛材を使用した歯ブラシを提供することにある。
【課題を解決するための手段】
【０００９】
上記目的を達成するために本発明によれば、合成樹脂異形断面モノフィラメントのカットブリッスルからなる歯ブラシ用毛材であって、前記異形断面は複数の凸部と凹部とからなり、前記カットブリッスルの本体部側面にその長さ方向に沿って前記凹部からなる螺旋状の溝を有するとともに、前記カットブリッスルの少なくとも一端側に前記凸部からなる複数の分岐毛を有し、かつこれら各分岐毛の先端がテーパー状に形成されていることを特徴とする歯ブラシ用毛材が提供される。
【００１０】
なお、本発明の歯ブラシ用毛材においては、
前記異形断面が多葉形、特に３〜６つの凸部を有する多葉形であること、
前記螺旋状の溝の螺旋回数が０．５〜４．０回転／ｃｍであること、
前記合成樹脂異形断面モノフィラメントがポリエステル系樹脂からなること、
がいずれも好ましい条件として挙げられ、これらの条件を満たすことによりさらに優れた効果を取得することができる。
【００１１】
また、本発明の歯ブラシは、上記の歯ブラシ用毛材を毛材の少なくとも一部に使用したことを特徴とし、従来の歯ブラシに比べて歯と歯の間や歯の表面の歯垢清掃性に優れ、歯茎への触感性にも優れるという優れた効果を奏する。
【発明の効果】
【００１２】
本発明の歯ブラシ用毛材および歯ブラシは、その毛先にテーパー形状を有する複数本の分岐毛を有するために、毛先が歯と歯の間の歯垢を効率よく除去することができるとともに、歯茎への触感性にも優れ、また歯ブラシ用毛材の側面にその長さ方向に沿って複数本の螺旋状の溝を有するために、歯の表面に付着した歯垢をより効果的に除去することができる。
【００１３】
よって、本発明によれば、より一層高い清掃効果を備えた歯ブラシを得ることができる。
【発明を実施するための最良の形態】
【００１４】
以下、本発明を図面に従って具体的に説明する。
【００１５】
図１の（ａ）は本発明の歯ブラシ用毛材の一例を示した概略図であり、１は歯ブラシ用毛材、２は溝、３は分岐毛、４は本体部をそれぞれ示している。
【００１６】
また、図１の（ｂ）および（ｃ）はそれぞれ図１（ａ）の歯ブラシ用毛材１を線Ａ−ＡおよびＢ−Ｂで切断した際に現れる断面図であり、５は歯ブラシ用毛材１の本体部分４における異形断面、６はその異形断面５の凸部、７は同じく異形断面５の凹部、８は歯ブラシ用毛材１の分岐毛３の断面を示している。
【００１７】
本発明の歯ブラシ用毛材１は、図１に示すように、合成樹脂異形断面モノフィラメントのカットブリッスルからなり、異形断面５は複数の凸部６と凹部７とからなり、カットブリッスルの本体部４側面にその長さ方向に沿って凹部７からなる螺旋状の溝２を有するとともに、カットブリッスルの少なくとも一端側に凸部６からなる複数の分岐毛３を有し、かつこれら各分岐毛３の先端がテーパー状に形成されていることを特徴とする。
【００１８】
本発明の歯ブラシ用毛材１の側面に形成された螺旋状の溝２は、歯ブラシに使用した場合に、歯の表面に付着した歯垢を効率よく除去することができるため、高い清掃性を得る上で重要な役目を持っている。
【００１９】
すなわち、図３に示したように、本発明の歯ブラシ用毛材を歯ブラシとして使用して歯垢の清掃を行う場合には、毛材１の摺動方向Ｗに沿って、毛材１の側面に螺旋状の溝２により形成された複数の凹凸部が、歯の表面９に付着した歯垢１０に対し線接触と点接触とで接触し、全体の接触面積が増大するため、歯の表面の汚れを落とす性能が飛躍的に向上するのである。
【００２０】
ここで、歯ブラシ用毛材１の側面に、その長さ方向に沿って形成される溝２の螺旋回数は、歯ブラシ用毛材１の長さ方向に沿って０．５〜４．０回転／ｃｍであることが好ましく、さらには１．０〜３．０回転／ｃｍであることがより好ましい。
【００２１】
この理由は、溝２の螺旋回数が上記範囲を下まわる場合は、清掃性に欠けた歯ブラシ用毛材１となりやすく、逆に上記範囲を上回る場合は、歯ブラシ用毛材１に曲がり癖が付きやすくなり、触感性に欠けた歯ブラシ用毛材１が得られやすくなるばかりか、強度低下など、物性面に影響が及びやすいからである。
【００２２】
次に、本発明の歯ブラシ用毛材１の少なくとも一端側に形成されるテーパー状の分岐毛３は、歯と歯の間の歯垢を効率よく除去し、かつ歯茎への触感性を得る上で重要な役割を持つ。
【００２３】
つまり、本発明の歯ブラシ用毛材１は、その一端にテーパー形状を有する複数本の分岐毛３を有することにより、歯と歯の間に入り込みやすく、歯垢を効率よく除去することができるとともに、触感性にも優れ、良好な歯茎のマッサージ効果が得られるのである。
【００２４】
なお、本発明の歯ブラシ用毛材１の螺旋状の溝２は何ら特殊な方法で形成する必要はなく、例えば、異形断面モノフィラメントを捻り、熱セットすることで容易に形成することができる。
【００２５】
また、異形断面５の形状については、特に限定はされないが、歯の表面の歯垢除去効果と後に記すアルカリ溶液による減量加工で容易に分岐毛３を形成せしめることができるとの理由から、図１（ｂ）および図２の（イ）〜（ホ）に示すような複数の凸部６を有する多葉形が好ましく、さらには３〜６つの凸部６を有する多葉形が好ましい。
【００２６】
さらに、本発明の歯ブラシ用毛材１を構成する合成樹脂については、ポリカプラミド、ポリヘキサメチレンアジパミド、ポリヘキサメチレンセバカミド、ポリヘキサメチレンドデカミド、ナイロン４６、ナイロンＭＤＸ６、ナイロン１１、ナイロン１２、ポリ（カプラミド／ヘキサメチレンアジパミド）共重合体およびポリ（カプラミド／ラウラミド）共重合体などのポリアミド系樹脂、ポリエチレンテレフタレート、ポリブチレンテレフタレート、ポリエチレンナフタレート、ポリプロピレンテレフタレート、ポリメチレンナフタレート、ポリブチレンナフタレート、ポリプロピレンナフタレートなどのポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、ポリオレフィン系樹脂などから１種類または２種類以上適宜選択して使用することができ、特に限定されないが、後に記すアルカリ溶液による減量加工を利用して、歯ブラシ用毛材１の一端にテーパー形状の分岐毛３を容易に形成することができるとの理由から、本発明の歯ブラシ用毛材１にはポリエステル系樹脂の使用が好ましく、さらには摩耗や弾性回復性などの耐久性に優れるとの理由から、ポリブチレンテレフタレートの使用が好ましい。
【００２７】
なお、本発明で使用するポリエステル系樹脂には、本発明の目的を阻害しない範囲であれば、他のジカルボン酸成分およびジオール成分を共重合成分として含有せしめることができ、例えば、ジカルボン酸成分としては、テレフタル酸、イソフタル酸、フタル酸、ジフェニルジカルボン酸、ジフェニルエーテルジカルボン酸、ジフェニルスルホンジカルボン酸、ベンゾフェノンジカルボン酸、フェニルインダンジカルボン酸、シュウ酸、コハク酸、アジピン酸、セバチン酸、シクロヘキサンジカルボン酸およびデカリンジカルボン酸などが挙げられ、ジオール成分としては、エチレングリコール、プロピレングリコール、テトラメチレングリコール、ペンタメチレングリコール、ヘキサメチレングリコール、オクタメチレングリコール、デカメチレングリコール、ネオペンチレングリコール、シクロヘキサンジオール、シクロヘキサンジメタノールなどの脂肪族グリコール、ｏ−キシリレングリコール、ｐ−キシリレングリコール、ｍ−キシリレングリコール、１，４−ビス（２−ヒドロキシエトキシ）ベンゼン、１，４−ビス（２−ヒドロキシエトキシエトキシ）ベンゼン、４，４’−ビス（２−ヒドロキシエトキシ）ビフェニル、４，４’−ビス（２−ヒドロキシエトキシエトキシ）ビフェニル、２，２−ビス［４−（２−ヒドロキシエトキシ）フェニル］プロパン、２，２−ビス［４−（２−ヒドロキシエトキシエトキシ）フェニル］プロパン、１，３−ビス（２−ヒドロキシエトキシ）ベンゼン、１，３−ビス（２−ヒドロキシエトキシエトキシ）ベンゼン、１，２−ビス（２−ヒドロキシエトキシ）ベンゼン、１，２−ビス（２−ヒドロキシエトキシエトキシ）ベンゼン、４，４’−ビス（２−ヒドロキシエトキシ）ジフェニルスルホン、４，４’−ビス（２−ヒドロキシエトキシエトキシ）ジフェニルスルホンなどの芳香族グリコール、およびヒドロキノン、２，２−ビス（４−ヒドロキシフェニル）プロパン、レゾルシン、カテコール、ジヒドロキシナフタレン、ジヒドロキシビフェニル、ジヒドロキシジフェニルスルホンなどのジフェノール類などが挙げられるが、これらの中から２種以上を選択して適宜使用することもできる。
【００２８】
また、本発明の歯ブラシ用毛材１には、発明の効果を阻害しない範囲であれば、その目的に応じて、各種無機粒子、各種金属粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加せしめることもできる。
【００２９】
次に、本発明の歯ブラシ用毛材１および歯ブラシの製造方法について説明する。
【００３０】
まず、本発明の歯ブラシ用毛材１に使用される合成樹脂異形断面モノフィラメントの製造には、何ら特殊な製造装置を使用する必要はなく、例えば、公知のエクストルーダー型溶融紡糸機を使用して製造することができる。
【００３１】
具体的にポリエステル系樹脂を使用して歯ブラシ用毛材１を製造する場合には、予め乾燥したポリエステル系樹脂をエクストルーダー型溶融紡糸機に供給し、ポリエステル系樹脂の融点より２０〜１００℃高い温度で溶融混練した後、異形断面形状の吐出孔を有する紡糸口金からポリエステル系樹脂の溶融物を押し出す。
【００３２】
次に、押し出されたポリエステル系樹脂の溶融物は、冷却浴中で冷却固化した後、９０℃以上ポリエステル系樹脂の融点以下の温度条件下で３．５〜６．０倍に加熱延伸され、さらに必要に応じて加熱弛緩処理が施されて一旦巻き取られる。
【００３３】
ここで、巻き取られた異形断面モノフィラメントには、その長さ方向に波形状を付与することもでき、波形状を付与することによりさらに触感性に優れた歯ブラシ用毛材を取得することができる。
【００３４】
そして、一旦巻き取られた異形断面モノフィラメントは、例えば、捻りながら熱セット加工することにより、その側面に長さ方向に沿って螺旋状の溝２が形成される。
【００３５】
次に、螺旋状の溝２が形成された異形断面モノフィラメントは、再び複数本に束ねられた後、使用する歯ブラシに応じた長さに切断され、カットブリッスルに加工され、さらにアルカリ溶液に浸漬され減量加工が施される。
【００３６】
そしてアルカリ溶液による減量加工により、異形断面モノフィラメントの異形断面５の凹部７が凸部６よりも先に溶解して、凸部６同士がそれぞれ分離し、さらに分離した各先端部分がテーパー状に溶解して分岐毛３が形成される。
【００３７】
その後、洗浄および乾燥工程を経て得られたカットブリッスルは、歯ブラシ用毛材１として通常の製造方法により歯ブラシに植毛される。
【００３８】
なお、本発明の歯ブラシ用毛材１には、例えば、銀イオンを担持させたリン酸塩系、ゼオライト系、ヒドロキシアパタイト系抗菌剤のほか、酸化亜鉛、硫酸亜鉛、塩化亜鉛、リン酸亜鉛、硝酸亜鉛、炭酸亜鉛、酢酸亜鉛、シュウ酸亜鉛、クエン酸亜鉛、フマル産亜鉛、ギ酸亜鉛などの亜鉛化合物、ベンゼトニウム、ベンザルコニウム、セチルピリジウム、クロルヘキシジンなどのカチオン系抗菌剤、エピガロカテキン、エピガロカテキンガレート、エピカテキン、エピカテキンガレートなどの茶カテキン、アナターゼ型またはルチル型二酸化チタンなどの光触媒を付着および／または含有せしめて抗菌効果を付与することもできる。    
【実施例】
【００３９】
以下、本発明の歯ブラシ用毛材について、実施例を挙げて詳細に説明するが、本発明はその要旨を超えない限り以下の実施例に何ら限定されるものではない。
【００４０】
なお、実施例および比較例における歯ブラシ用毛材の各物性および歯ブラシの実用評価については以下の通り行った。
【００４１】
また、歯ブラシの実用評価で使用した歯ブラシは、実施例および比較例で得られた歯ブラシ用毛材を、植毛域９ｍｍ×２２ｍｍに３４箇所の植毛孔を有するＡＢＳ製基台に、２０本／孔、且つ毛丈１０ｍｍとなるように植毛したものである。
【００４２】
［清掃性］
１０ｍｍ立方のアクリル板の上表面に幅０．５ｍｍ、高さ５ｍｍの溝を設けた擬似歯モデルを作成し、この表面一体に歯垢染色液（プラークチェック液）を均一に付着させた。      
【００４３】
その後、作成した歯ブラシを使用して、擬似歯モデル上表面を、垂直荷重３５０ｇ、振幅長３０ｍｍ、且つ振幅速度１８０往復／分の条件でブラッシングを行い、歯垢染色液が完全に除去されるまでの時間を測定した。
【００４４】
［触感性］
１５名のモニターにブラシの触感性について、次の３段階で評価してもらった。
１・・・毛先の当たり方が極めて良好で、歯茎等への感触に優れていた、
２・・・多少刺激を感じたが、使用上問題はなかった、
３・・・毛先の当たり方が非常に悪く、強い刺激を感じた。
【００４５】
〔実施例１〕
ポリブチレンテレフタレート樹脂（東レ（株）製  １２００Ｓ、以下、ＰＢＴという）を溶融紡糸機に供給して溶融混練した後、紡糸口金から溶融物を押し出し、冷却固化して未延伸を得た。
【００４６】
その後、巻き取ることなく、温水浴および乾熱熱風浴中で加熱延伸し、さらに乾熱熱風浴中で加熱弛緩処理を施して、直径１９０μｍ、かつ３葉形断面の異形断面モノフィラメントを製糸した。
【００４７】
次に、得られた異形断面モノフィラメントを熱セットしながら捻り加工し、異形断面モノフィラメントの側面にその長さ方向に沿って螺旋回数１．５回転／ｃｍの溝を設けた。
【００４８】
さらに、この異形断面モノフィラメントを複数本に束ねて、その束の外周に紙テープを巻き、３０ｃｍの長さのカットブリッスルに加工した。そして、このカットブリッスルを水酸化ナトリウム水溶液に浸漬して減量加工を施し、カットブリッスルの両端にテーパー形状を有する分岐毛を３本形成し、歯ブラシ用毛材を作成した。
【００４９】
〔実施例２、３〕
異形断面モノフィラメントの断面を６葉形と８葉形に変更したこと以外は、実施例１と同じ方法により歯ブラシ用毛材を作成した。  
【００５０】
〔実施例４、５〕
溝の螺旋回数を０．４回転／ｃｍと４．５回転／ｃｍに変更したこと以外は、実施例１と同じ方法により歯ブラシ用毛材を作成した。  
【００５１】
〔実施例６〕
ＰＢＴの代わりにポリエチレンテレフタレート樹脂（東レ（株）製  Ｔ２５０Ｍ、以下、ＰＥＴという）を使用したこと以外は、実施例１と同じ方法により歯ブラシ用毛材を作成した。  
【００５２】
〔比較例１〕
異形断面モノフィラメントの断面を丸形とし、さらに捻り加工を施さなかったこと以外は、実施例１と同じ方法により、単一テーパー形状の歯ブラシ用毛材を作成した。
【００５３】
〔比較例２〕
異形断面モノフィラメントの断面を三角形としたこと以外は、実施例１と同じ方法により、単一テーパー形状の歯ブラシ用毛材を作成した。
【００５４】
〔比較例３〕
異形断面モノフィラメントおよびそのカットブリッスルに捻り加工と水酸化ナトリウム溶液による減量加工を施さなかったこと以外は、実施例１と同じ方法により歯ブラシ用毛材を作成した。
【００５５】
〔比較例４〕
異形断面モノフィラメントに捻り加工を施さなかったこと以外は、実施例１と同じ方法により歯ブラシ用毛材を作成した。
【００５６】
〔比較例５〕
異形断面モノフィラメントのカットブリッスルに水酸化ナトリウム溶液による減量加工を施さなかったこと以外は、実施例１と同じ方法により歯ブラシ用毛材を作成した。
【００５７】
以上、得られた歯ブラシ用毛材の評価結果を表１に併せて記載する。
【００５８】
【表１】
2007244546.tif 000003
【００５９】
表１から明らかなように、本発明の条件を満たした歯ブラシ用毛材（実施例１〜６）は、比較例の歯ブラシ用毛材に比べて清掃性に優れるとともに、触感性に優れたものであることが分かる。
【００６０】
これに対して、本発明の条件を満たさない歯ブラシ用毛材（比較例１〜５）は、清掃性および／または触感性に欠けたものであることが分かり、例えば、溝も分岐毛も持たない単一テーパー形状の歯ブラシ用毛材（実施例１）は清掃性および触感性に欠け、螺旋状の溝を有するが、分岐毛を持たない単一テーパー形状の歯ブラシ用毛材（実施例２）は触感性に欠け、溝を有するが、その溝が螺旋状に形成されておらず、かつ分岐毛を持たない歯ブラシ用毛材（比較例３）は清掃性と触感性に欠け、溝と分岐毛を有するが、その溝が螺旋状に形成されていない歯ブラシ用毛材（比較例４）は清掃性に欠け、さらに螺旋状の溝を有するが、分岐毛を持たない歯ブラシ用毛材（比較例５）は清掃性に欠けたものであった。
【産業上の利用可能性】
【００６１】
本発明の歯ブラシ用毛材および歯ブラシによれば、その毛先にテーパー形状を有する複数本の分岐毛を有するために、毛先が歯と歯の間の歯垢を効率よく除去することができるとともに、歯茎への触感性にも優れ、また歯ブラシ用毛材の側面にその長さ方向に沿って複数本の螺旋状の溝を有するために、歯の表面に付着した歯垢を効率よく除去することができ、より一層高い清掃効果が得られる。そして、本発明の歯ブラシ用毛材は、その特長を活かして、歯ブラシのだけではなく、ボディブラシ、クリーニングブラシなどの各種清掃用ブラシにも利用できる。
【図面の簡単な説明】
【００６２】
【図１】図１の（ａ）は本発明の歯ブラシ用毛材の一例を示す模式図、（ｂ）および（ｃ）はそれぞれ歯ブラシ用毛材の線Ａ−Ａおよび線Ｂ−Ｂにおける断面図である。
【図２】図２の（イ）〜（ホ）は本発明の歯ブラシ用毛材を構成するブリッスルの異形断面を示す断面図である。
【図３】図１の（ａ）の歯ブラシ用毛材を歯ブラシに使用した場合の歯の表面の洗浄の様子を示した模式図である。
【図４】図４の（ａ）は従来の歯ブラシ用毛材の模式図、（ｂ）はその歯ブラシ用毛材歯ブラシに使用した場合の歯の表面の洗浄の様子を示した模式図である。
【図５】図５の（ａ）は他の従来の歯ブラシ用毛材の模式図、（ｂ）はその歯ブラシ用毛材歯ブラシに使用した場合の歯の表面の洗浄の様子を示した模式図である。
【符号の説明】
【００６３】
１    歯ブラシ用毛材
２    溝
３    分岐毛
４    本体部
５    歯ブラシ用毛材の本体部分の異形断面 
６    凸部
７    凹部
８    歯ブラシ用毛材の分岐毛部分の断面
９    歯の表面
１０  歯垢
１１  テーパー部
Ｗ    歯ブラシの摺動方向
【図１】
2007244546.tif 000004
【図２】
2007244546.tif 000005
【図３】
2007244546.tif 000006
【図４】
2007244546.tif 000007
【図５】
2007244546.tif 000008